(57)【要約】    【課題】  干渉音を小さくした圧力スイッチを提供する。    【解決手段】  調整ネジ６２に、第２レバー３６と当接する部位に第１防音ゴム８１を設け、第２の位置にある第２レバー３６が当接する部位に第２防音ゴム８２を設ける。このため、第２レバー３６が第１の位置へ揺動する際に、第１防音ゴム８１により緩衝されてから調整ネジ６２へ当接し、第２レバー３６が第２の位置に揺動した際に、第２防音ゴム８２に当接することで、干渉音を小さくすることができる。【選択図】  図１
2006196389.tif 000002
【特許請求の範囲】
【請求項１】
圧力により変位するダイヤフラムと、該ダイヤフラムの変位に連動するプランジャーと、プランジャーの動きに伴い第１の位置と第２の位置とに揺動するレバーと、該レバーが第１の位置にある際に当接することで、当該レバーの動きを調整する調整ネジと、前記レバーが前記第１の位置から前記第２の位置に至る際に、該レバーと当接してオン・オフするスイッチとを備える圧力スイッチにおいて、
前記調整ネジに、前記レバーと当接する部位に第１の防音部材を設け、
前記スイッチの近傍であって、前記レバーが第２の位置にある際に当接する部位に第２の防音部材を設けたことを特徴とする圧力スイッチ。
【請求項２】
前記第１の防音部材は、前記調整ネジの外周に被覆される円筒状の防音ゴムからなり、
前記第１の防音部材の内壁の略中央部には、前記調整ネジの頭部よりも小径で、該調整ネジの胴部よりも大径の環状段部が設けられ、
該環状段部から一方の端部までの前記内壁を、前記調整ネジの頭部を収容可能なように前記調整ネジの頭部よりも大径で、且つ、軸方向の長さを該頭部の高さよりも長く形成し、
該環状段部から他方の端部までの内壁を、前記調整ネジを固定する部材に当接して、前記環状段部を前記調整ネジの頭部へ付勢する長さに形成したことを特徴とする請求項１の圧力スイッチ。
【請求項３】
前記スイッチは、固定部材に摺動可能に保持され前記レバーとの接触により昇降する摺動子と、当該摺動子に連動する可動接点と、該可動接点に接触可能な固定接点とからなり、
前記第２の防音部材は、大径円筒部と小径円筒部と裁頭円錐形部とから構成される一対の防音ゴムからなり、前記摺動子の両脇であって、前記固定部材に設けられた１対の通孔に前記裁頭円錐形部及び小径円筒部が嵌入されることで固定され、前記大径円筒部が前記第２位置の前記レバーと当接することを特徴とする請求項１又は請求項２の圧力スイッチ。
【発明の詳細な説明】
【技術分野】
【０００１】
本発明は、井戸水をくみ上げるポンプ等を動作させるための圧力スイッチに関するものである。
【背景技術】
【０００２】
従来より、井戸水をくみ上げるポンプ等を動作させるため、水圧に応じてオン・オフする圧力スイッチが用いられている。
従来技術に係る圧力スイッチの構成を図５を参照して説明する。図５（Ａ）は、従来技術の圧力スイッチのカバー５２を外した平面図であり、図５（Ｂ）は断面図である。ここで、図５（Ｂ）は、図５（Ａ）のｂ−ｂ断面に相当する。
圧力スイッチ１１０は、水圧により変位するダイヤフラム１４と、該ダイヤフラム１４の変位に連動するプランジャー１６と、プランジャー１６の動きを規制する圧縮バネ４８と、プランジャー１６に連動する第１レバー３４と、第１レバー３４により変位する板バネ３８と、板バネ３８の変位に伴い第１の位置と第２の位置とに揺動する第２レバー３６とを備える。図中には、第２レバー３６が第１の位置に揺動している状態を示している。この第１の位置で、第２レバーは、該第２レバー３６の動作を調整するための調整ネジ６２に当接している。調整ネジ６２の下方には、取付台２８に摺動子３０が摺動可能に配置されている。ここで、第２レバー３６が反転して第２の位置に来ることで、摺動子３０が押し下げられる。該摺動子３０には、固定接点２２ａに当接している可動接点２０ａを保持する可動接点板２０が連動し、上述したように摺動子３０が押し下げられると、可動接点２０ａが固定接点２２ａから離れる。即ち、水圧に応じて、可動接点２０ａと固定接点２２ａとが接、離するように構成されている。
ここで、圧力スイッチの他の構成として、特許文献１、特許文献２などが提案されている。
【特許文献１】特開平０８−１９０８４４号公報
【特許文献２】特開２００３−３０１９５７号公報
【発明の開示】
【発明が解決しようとする課題】
【０００３】
しかしながら、上述した圧力スイッチは、第２レバー３６が第１の位置に復帰する度に、第２レバー３６が調整ネジ６２へ当たり、干渉音（金属衝突音）を発生させていた。同様に、第２レバー３６が第２の位置に反転する度に、第２レバー３６が摺動子３０又は摺動子を支持する取付台２８を叩き、干渉音（衝突音）を発生させていた。このため、該圧力スイッチが、家庭の井戸水のくみ上げに用いられる場合には、干渉音が耳につくことになり、特に夜間に問題となった。
【０００４】
本発明は、上述した課題を解決するためになされたものであり、その目的とするところは、干渉音を小さくした圧力スイッチを提供することにある。
【課題を解決するための手段】
【０００５】
上記目的を達成するため、請求項１の発明は、圧力により変位するダイヤフラム１４と、該ダイヤフラム１４の変位に連動するプランジャー１６と、プランジャー１６の動きに伴い第１の位置と第２の位置とに揺動するレバー３６と、該レバー３６が第１の位置にある際に当接することで、当該レバー３６の動きを調整する調整ネジ６２と、前記レバー３６が前記第１の位置から前記第２の位置に至る際に、該レバー３６と当接してオン・オフするスイッチとを備える圧力スイッチにおいて、
前記調整ネジ６２に、前記レバー３６と当接する部位に第１の防音部材８１を設け、
前記スイッチの近傍であって、前記レバー３６が第２の位置にある際に当接する部位に第２の防音部材８２を設けたことを技術的特徴とする。
【０００６】
請求項２では、請求項１において、前記第１の防音部材８１は、前記調整ネジ６２の外周に被覆される円筒状の防音ゴムからなり、
前記第１の防音部材８１の内壁８１Ａの略中央部には、前記調整ネジ６２の頭部６２ａよりも小径で、該調整ネジ６２の胴部６２ｂよりも大径の環状段部８１Ｄが設けられ、
該環状段部８１Ｄから一方の端部８１Ｂまでの前記内壁８１Ａを、前記調整ネジ６２の頭部６２ａを収容可能なように前記調整ネジ６２の頭部６２ａよりも大径で、且つ、軸方向の長さｈ２を該頭部６２ａの高さｈ１よりも長く形成し、
該環状段部８１Ｄから他方の端部８１Ｃまでの内壁８１Ａを、前記調整ネジ６２を保持する部材４０に当接して、前記環状段部８１Ｄを前記調整ネジ６２の頭部６２ａへ付勢する長さｈ３に形成したことを技術的特徴とする。
【０００７】
請求項３では、請求項１又は請求項２において、前記スイッチは、取付台２８に摺動可能に保持され前記レバー３６との接触により昇降する摺動子３０と、当該摺動子３０に連動する可動接点２０ａと、該可動接点２０ａに接触可能な固定接点２２ａとからなり、
前記第２の防音部材８２は、大径円筒部８２ａと小径円筒部８２ｂと裁頭円錐形部８２ｃとから構成される一対の防音ゴムからなり、前記摺動子３０の両脇であって、前記取付台２８に設けられた１対の通孔２８Ａに前記裁頭円錐形部８２ｃ及び小径円筒部８２ｂが嵌入されることで固定され、前記大径円筒部８２ａが前記第２位置の前記レバー３６と当接することを技術的特徴とする。
【発明の効果】
【０００８】
請求項１の発明では、調整ネジ６２に、レバー３６と当接する部位に第１の防音部材８１を設けてある。このため、レバー３６が第１の位置へ揺動する際に、第１の防音部材８１により緩衝されてから調整ネジ６２へ当接するため、レバー３６と調整ネジ６２との干渉音（金属衝突音）を小さくすることができる。また、第２の位置にあるレバー３６が当接する部位に第２の防音部材８２を設けてあるため、レバー３６が第２の位置に揺動した際に、第２の防音部材８２に当接することで、緩衝され、レバー３６とスイッチ（若しくはスイッチの取付台）との干渉音を小さくすることができる。
【０００９】
請求項２の発明では、円筒状の第１の防音部材８１の内壁８１Ａの略中央部に環状段部８１Ｄを設け、該環状段部８１Ｄから一方の端部８１Ｂまでの内壁８１Ａを、調整ネジ６２の頭部６２ａを収容可能なように調整ネジ６２の頭部６２ａよりも大径で、且つ、軸方向の長さｈ２を該頭部６２ａの高さｈ１よりも長く形成してある。このため、第１の防音部材８１の当該一方の端部８１Ｂが常に調整ネジ６２の頭部６２ａより突出しており、調整ネジ６２の頭部６２ａとレバー３６とが当接する際に、レバー３６が先ず、第１の防音部材８１に当たって緩衝されてから調整ネジ６２に当たるので、干渉音（金属衝突音）を小さくすることができる。一方、第１の防音部材８１の環状段部８１Ｄから他方の端部８１Ｃまでの内壁８１Ａを、調整ネジ６２を保持する部材４０に当接し、環状段部８１Ｄを調整ネジ６２の頭部６２ａ側へ付勢する長さｈ３に形成してある。このため、調整ネジ６２の位置を調整しても、第１の防音部材８１の他方の端部８１Ｃが調整ネジ６２を保持する部材４０に当接して環状段部８１Ｄを調整ネジ６２の頭部６２ａ側へ付勢するので、一方の端部８１Ｂが常に調整ネジ６２の頭部６２ａより突出し、上述したように干渉音を小さくすることができる。即ち、調整ネジ６２の位置を調整しても、第１の防音部材８１の位置を調整する必要がない。
【００１０】
請求項３の発明では、第２の防音部材８２は、大径円筒部８２ａと小径円筒部８２ｂと裁頭円錐形部８２ｃとから構成される一対の防音ゴムからなる。取付台２８に設けられた１対の通孔２８Ａに裁頭円錐形部８２ｃ及び小径円筒部８２ｂが嵌入されることで固定できるので、取り付けが容易である。
【発明を実施するための最良の形態】
【００１１】
本発明の実施形態に係る圧力スイッチの構成を図１を参照して説明する。図１（Ａ）は、実施形態の圧力スイッチ１０のカバー５２を外した平面図であり、図１（Ｂ）は断面図である。ここで、図１（Ｂ）は、図１（Ａ）のｂ−ｂ断面に相当する。
圧力スイッチ１０は、水圧を検出して図示しないポンプをオン・オフするもので、給水路側に取り付けるためのフランジ１２に、ベース１８が取り付けられ、ベース１８にカバー５２が被せられる。ベース１８の上部には種々の部品を取り付けるための取付台２８が配置されている。フランジ１２の上部には水圧により変位するダイヤフラム１４が取り付けられている。該ダイヤフラム１４の上側には、該ダイヤフラム１４の変位に連動するプランジャー１６と、プランジャー１６の動きを規制する圧縮バネ４８とが設けられている。圧縮バネ４８は、バネ押さえ４４とバネ受け４２との間に保持され、ホルダ５０に取り付けられたバネ調整ネジ４６により弾性力の調整が図られる。
【００１２】
プランジャー１６に連動して揺動するように第１レバー３４が支持金具３２により支持されている。支持金具３２は、取付台２８に固定ネジ６０により固定されている。第１レバー３４の先端には、第１レバー３４の揺動により変位する板バネ３８の一端が取り付けられている。板バネ３８の他端は、板バネ３８の変位に伴い第１の位置と第２の位置とに揺動する第２レバー３６に固定されている。図中には、第２レバー３６が第１の位置に揺動している状態を示している。この第１の位置で、第２レバー３６は、該第２レバー３６の動作を調整するための調整ネジ６２に当接している。調整ネジ６２は、ナット６４を介して調整ネジ保持部材４０に固定されている。調整ネジ６２の下方への突出長を調整することにより、第２レバー３６の水圧に対する動作を調整できるようになっている。
【００１３】
調整ネジ６２の下方には、摺動子３０が取付台２８に摺動可能に配置されている。ここで、第２レバー３６が反転して第２の位置に来ることで、摺動子３０が押し下げられる。該摺動子３０には、固定接点板２２の固定接点２２ａに当接している可動接点２０ａを保持する可動接点板２０が連動している。上述したように摺動子３０が押し下げられと、可動接点２０ａが固定接点２２ａから離れる。即ち、水圧が調整値よりも下がると、第２レバー３６が調整ネジ６２に当接する第１の位置に復帰し、可動接点２０ａと固定接点２２ａとが接状態となり、この信号がリード線７０を介してポンプ側へ出力される。反対に水圧が調整値よりも高くなると、第２レバー３６が摺動子３０を押し下げる第２の位置に反転し、可動接点２０ａと固定接点２２ａとが断状態となり、この信号がリード線７０を介してポンプ側へ出力される。
【００１４】
本実施形態では、調整ネジ６２に、第２レバー３６と当接する部位に第１防音ゴム８１を設けてある。このため、第２レバー３６が第１の位置へ揺動する際に、第１防音ゴム８１により緩衝されてから調整ネジ６２へ当接するため、第２レバー３６と調整ネジ６２との干渉音（金属衝突音）を小さくすることができる。
【００１５】
図２（Ａ）は第１防音ゴムの平面図であり、図２（Ｂ）は、図２（Ａ）のｂ１−ｂ１断面図である。
実施形態では、円筒状の第１防音ゴム８１の内壁８１Ａの略中央部に、環状段部８１Ｄが設けられている。該環状段部８１Ｄから一方の端部８１Ｂまでの内壁８１Ａを、調整ネジ６２の頭部６２ａを収容可能なように調整ネジ６２の頭部６２ａよりも大径で、且つ、軸方向の長さｈ２を該頭部６２ａの高さｈ１よりも長く形成してある。このため、第１防音ゴム８１の当該一方の端部８１Ｂが常に調整ネジ６２の頭部６２ａより突出しており、調整ネジ６２の頭部６２ａと第２レバー３６とが当接する際に、第２レバー３６が先ず、第１防音ゴム８１に当たって緩衝されてから調整ネジ６２に当たるので、干渉音（金属衝突音）を小さくすることができる。
【００１６】
一方、第１防音ゴム８１の環状段部８１Ｄから他方の端部８１Ｃまでの内壁８１Ａを、調整ネジ６２を保持する調整ネジ保持部材４０の裏面に当接し、環状段部８１Ｄを調整ネジ６２の頭部６２ａ側へ付勢する長さｈ３に形成してある。即ち、調整ネジ６２の突出長を調整しても、第１防音ゴム８１の他方の端部８１Ｃが調整ネジ保持部材４０裏面へ常に当接するように形成してある。このため、調整ネジ６２の突出長を調整しても、他方の端部８１Ｃが調整ネジ保持部材４０の裏面に当接して環状段部８１Ｄを調整ネジ６２の頭部６２ａ側へ付勢するので、一方の端部８１Ｂが常に調整ネジ６２の頭部６２ａより突出し、上述したように干渉音を小さくすることができる。即ち、調整ネジ６２の突出長を調整しても、第１防音ゴム８１の取付位置を調整する必要がない。
【００１７】
一方、図１中に示すように第２の位置（摺動子３０を押し下げ、上述したように可動接点２０ａと固定接点２２ａとを断とした状態）にある第２レバー３６が当接する部位に、一対の第２防音ゴム８２を設けてある。このため、第２レバー３６が第２の位置に揺動した際に、第２防音ゴム８２に当接することで、緩衝され、第２レバー３６が摺動子３０を下端まで押し下げた際の干渉音（若しくは摺動子３０の取付台２８との干渉音）を小さくすることができる。
【００１８】
図３（Ａ）は第２防音ゴム８２の平面図であり、図３（Ｂ）は、図３（Ａ）のｂ２−ｂ２断面図である。図４（Ａ）は第２防音ゴム８２を取り付ける取付台２８の裏面図であり、図４（Ｂ）は、図４（Ａ）のｂ３−ｂ３断面図であるが、第２防音ゴム８２の取り付け前の状態を示す。図４（Ｃ）は取付台２８の平面図である。
図３（Ｂ）に示すように第２防音ゴム８２は、大径円筒部８２ａと小径円筒部８２ｂと裁頭円錐形部８２ｃとから構成される一対の防音ゴムからなる。第２防音ゴム８２は、図４（Ｂ）に示す取付台２８に設けられた通孔２８Ａに裁頭円錐形部８２ｃ及び小径円筒部８２ｂが嵌入されることで固定できるので、取り付けが容易である。また、図４（Ｃ）に示すように、第２レバー３６が当たる部位にのみ第２防音ゴム８２を配置できるので、第２防音ゴム８２を小型化することが可能である。
【００１９】
ここで、通孔２８Ａの深さｈ５は、小径円筒部８２ｂの長さｈ４よりも僅かに浅く形成され、通孔２８Ａの内径ｗ４よりも小径円筒部８２ｂの内径ｗ５は小さく設定されている。これにより、通孔２８Ａに対して第２防音ゴム８２が強固に取り付けられ、第２レバー３６が当接した際のガタツキを防いでいる。一方、裁頭円錐形部８２ｃの頭部径ｗ３は、通孔２８Ａの内径ｗ４より小さく、基部径ｗ６は、通孔２８Ａの内径ｗ４より大きく設定され、第２防音ゴム８２の脱落を防いでいる。なお、通孔２８Ａの底部側には、裁頭円錐形部８２ｃを収容するための段部が形成されている。
【産業上の利用可能性】
【００２０】
上述した実施形態では、緩衝、防音部材として防音ゴムを用いたが、ゴムの代わり種々の樹脂部材等の弾性部材を用い得ることは言うまでもない。
【図面の簡単な説明】
【００２１】
【図１】図１（Ａ）は本発明の実施形態に係る圧力スイッチのカバーを外した平面図であり、図１（Ｂ）は断面図である。
【図２】図２（Ａ）は第１防音ゴムの平面図であり、図２（Ｂ）は、図２（Ａ）のｂ１−ｂ１断面図である。
【図３】図３（Ａ）は第２防音ゴムの平面図であり、図３（Ｂ）は、図３（Ａ）のｂ２−ｂ２断面図である。
【図４】図４（Ａ）は取付台の裏面図であり、図４（Ｂ）は、図４（Ａ）のｂ３−ｂ３断面図であり、図４（Ｃ）は取付台の平面図である。
【図５】図５（Ａ）は従来技術の圧力スイッチのカバーを外した平面図であり、図５（Ｂ）は断面図である。
【符号の説明】
【００２２】
１０  圧力スイッチ
１４  ダイヤフラム
１６  プランジャー
２０  可動接点板
２０ａ  可動接点
２２ａ  固定接点
２８  取付台
２８Ａ  通孔
３０  摺動子
３４  第１レバー
３６  第２レバー
３８  板バネ
４０  調整ネジ保持部材
４８  圧縮バネ
６２  調整ネジ
６２ａ  頭部
６２ｂ  胴部
８１  第１防音ゴム
８１Ａ  内壁
８１Ｂ  一方の端部
８１Ｃ  他方の端部
８１Ｄ  環状段部
８２  第２防音ゴム
８２ａ  大径円筒部
８２ｂ  小径円筒部
８２ｃ  裁頭円錐形部
【図１】
2006196389.tif 000003
【図２】
2006196389.tif 000004
【図３】
2006196389.tif 000005
【図４】
2006196389.tif 000006
【図５】
2006196389.tif 000007